(57)【要約】【課題】計測されたガス流量データなどを基地局へ送信する通信端末などを接続する接続端子を有しているが、その接続状態をガスメータ装置で確認できる手段がないため端末接続時の作業効率が悪くなり、また作業の確実性も低くなりやすい。また、その接続端子が複数ある場合の接続方法や誤接続時の報知手段もない。【解決手段】ガスメータ装置３００に表示部３０３を設け、端末接続部の接続状態や接続端子の種類、接続方法、誤接続報知などを行う。【選択図】図３
2010243183.tif 000002
【特許請求の範囲】
【請求項１】
電気、ガス、水道などの使用量を計測した流量データなどを基地局へ送信する通信端末などを接続する複数の接続端子と種々の情報を表示する表示部を備え、前記表示部に複数の接続端子の区分が分かる内容を表示することを特徴とするガスメータ装置。
【請求項２】
電気、ガス、水道などの使用量を計測した流量データなどを基地局へ送信する通信端末などを接続する複数の接続端子と種々の情報を表示する表示部を備え、前記表示部に通信端末との接続情報を表示することを特徴とするガスメータ装置。
【請求項３】
電気、ガス、水道などの使用量を計測した流量データなどを基地局へ送信する通信端末などを接続する複数の接続端子と種々の情報を表示する表示部を備え、前記表示部に通信端末との接続方法を表示することを特徴とするガスメータ装置。
【請求項４】
電気、ガス、水道などの使用量を計測した流量データなどを基地局へ送信する通信端末などを接続する複数の接続端子と種々の情報を表示する表示部を備え、前記表示部に接続間違い（誤接続）の報知をすることを特徴とするガスメータ装置。
【請求項５】
電気、ガス、水道などの使用量を計測した流量データなどを基地局へ送信する通信端末などを接続する複数の接続端子と種々の情報を表示する表示部を備え、前記表示部に誤接続の場合の回避方法を表示することを特徴とするガスメータ装置。
【発明の詳細な説明】
【技術分野】
【０００１】
本発明は、電気、ガス、水道などの使用量を測定するガスメータ装置に関するものである。
【背景技術】
【０００２】
従来、この種のガスメータ装置は、メータにより計測されたガス流量や発電機能を内蔵した場合にはその出力状況を表示するものであった（例えば、特許文献１参照）。
【特許文献１】特開２００３−１４５２３号公報
【発明の開示】
【発明が解決しようとする課題】
【０００３】
ところで、従来上記ガスメータ装置には、その計測されたガス流量データなどを基地局へ送信する通信端末などを接続する接続端子を有しているが、その接続状態をガスメータ装置で確認できる手段がないため端末接続時の作業効率が悪くなり、また作業の確実性も低くなりやすい。
また、その接続端子が複数ある場合の接続方法や誤接続時の報知手段もない。
【０００４】
そこで、本発明は上記課題を解決するもので、端末接続時の作業効率良くし、作業の確実性を向上させるガスメータ装置を提供するものである。
【課題を解決するための手段】
【０００５】
前記従来の課題を解決するために、本発明のガスメータ装置は、端末接続部の接続状態や接続端子の種類、接続方法、誤接続報知などを行う表示部を設けていることを特徴とするものである。
【０００６】
これにより、ガスメータ装置への端末接続時において、作業効率を良くし、作業の確実性を向上させることができる。
【発明の効果】
【０００７】
本発明のガスメータ装置は、端末接続部の接続状態や接続端子の種類、接続方法、誤接続報知などを行う表示部を備えることで、作業効率を良くし、作業の確実性を向上させることができる。
【発明を実施するための最良の形態】
【０００８】
第１の発明は、電気、ガス、水道などの使用量を計測した流量データなどを基地局へ送信する通信端末などを接続する複数の接続端子と種々の情報を表示する表示部を備えており、前記表示部に複数の接続端子の区分が分かる内容を表示することができる特徴を有するガスメータ装置である。
【０００９】
これによって、ガスメータ装置への端末接続時において、どの接続端子がどの用途のものなのかが認識でき、作業効率を良くし、作業の確実性を向上させることができる。
【００１０】
第２の発明は、電気、ガス、水道などの使用量を計測した流量データなどを基地局へ送信する通信端末などを接続する複数の接続端子と種々の情報を表示する表示部を備えており、前記表示部に通信端末との接続方法を表示することができる特徴を有するガスメータ装置である。
【００１１】
これによって、ガスメータ装置への端末接続時において、接続状態が理解でき、作業効率を良くし、作業の確実性を向上させることができる。
【００１２】
第３の発明は、電気、ガス、水道などの使用量を計測した流量データなどを基地局へ送信する通信端末などを接続する複数の接続端子と種々の情報を表示する表示部を備え、前記表示部に通信端末との接続方法を表示することができる特徴を有するガスメータ装置である。
【００１３】
これによって、ガスメータ装置への端末接続時において、接続方法が理解でき、作業効率を良くし、作業の確実性を向上させることができる。
【００１４】
第４の発明は、電気、ガス、水道などの使用量を計測した流量データなどを基地局へ送信する通信端末などを接続する複数の接続端子と種々の情報を表示する表示部を備え、前記表示部に接続間違い（以下誤接続）の報知をすることができる特徴を有するガスメータ装置である。
【００１５】
これによって、ガスメータ装置への端末接続時において、誤接続であることが理解でき、作業効率を良くし、作業の確実性を向上させることができる。
【００１６】
第５の発明は、電気、ガス、水道などの使用量を計測した流量データなどを基地局へ送信する通信端末などを接続する複数の接続端子と種々の情報を表示する表示部を備え、前記表示部に誤接続の場合の回避方法を表示することができる特徴を有するガスメータ装置である。
【００１７】
これによって、ガスメータ装置への端末接続時において、誤接続時の回避方法が理解でき、作業効率を良くし、作業の確実性を向上させることができる。
【００１８】
以下、本発明の実施の形態について、図面を参照しながら説明する。なお、この実施の形態によって本発明が限定されるものではない。
【００１９】
（実施の形態）
図１は、本発明の実施の形態におけるガスメータ装置を用いたシステム構成を示す図である。図１において本システム構成は、検針データ等を収集するための管理システムであるガス事業者管理センター１００と、このガス事業者管理センター１００と公衆電話回線網などにより接続された基地局２００、および無線回線により基地局２００と通信を行うガスメータ装置３００により構成されている。
【００２０】
次に、図２を用いてガスメータ装置３００の内部構造を説明する。ガスメータ装置３００には計測装置３０１が備えられており、ガスや電気、水道等の使用量を計測する。また、種々データを処理する制御装置３０２、液晶などで構成される表示部３０３を備え種々の情報を確認することができる。さらに、通信用端末などと接続する接続端子部３０４を備える。
【００２１】
次に、図３〜７を用いて表示部３０３の表示内容について説明する。
【００２２】
図３の場合、表示部３０３に接続端子部３０４の区別が分かる表示３０５を行うことができる。
【００２３】
図４の場合、表示部３０３に接続端子部３０４への端末接続の状態が表示３０６される。ここでは、その一例として、接続されている端子部の表示が点灯表示３０６となってい
る。
【００２４】
図５の場合、表示部３０３に接続端子部３０４への端末接続の方法が表示３０５される。ここでは、その一例として、文字による説明文３０５が表示されている。
【００２５】
図６の場合、表示部３０３に接続端子部３０４の誤接続の状態が表示される。ここでは、その一例として、違う機能の端子部に端末を間違えて接続したことにより、その端子部の表示が点滅３０８し報知をしている。
【００２６】
図７の場合、表示部３０３に接続端子部３０４への端末誤接続回避の方法が表示３０９される。ここでは、その一例として、文字による説明文３０９が表示されている。
【産業上の利用可能性】
【００２７】
以上のように、本発明にかかるガスメータ装置は、端末接続部の接続状態や接続端子の種類、接続方法、誤接続報知などを行う表示部を設けていることで、端末接続時において、作業効率を良くし、作業の確実性を向上させることができる。
【図面の簡単な説明】
【００２８】
【図１】本実施の形態のガスメータ装置を用いたシステム図
【図２】本実施の形態のガスメータ装置の構成図
【図３】本実施の形態のガスメータ装置の表示部の表示例を示す図
【図４】本実施の形態のガスメータ装置の表示部の表示例を示す図
【図５】本実施の形態のガスメータ装置の表示部の表示例を示す図
【図６】本実施の形態のガスメータ装置の表示部の表示例を示す図
【図７】本実施の形態のガスメータ装置の表示部の表示例を示す図
【符号の説明】
【００２９】
１００  ガス事業者管理センター
２００  基地局
３００  ガスメータ装置
３０１  計測装置
３０２  制御装置
３０３  表示部
３０４  接続端子部
３０５  表示例（接続端子表示）
３０６  表示例（点灯表示）
３０７  表示例（接続方法表示）
３０８  表示例（点滅表示）
３０９  表示例（回避表示）
【図２】
2010243183.tif 000003
【図３】
2010243183.tif 000004
【図５】
2010243183.tif 000005
【図１】
2010243183.tif 000006
【図４】
2010243183.tif 000007
【図６】
2010243183.tif 000008
【図７】
2010243183.tif 000009